【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
エピソードの検出及び評価に使用する検体監視システムであって、
患者の検体レベルの測定値を取得するように構成されたセンサーと、前記検体レベルの前記測定値を、読取装置に伝達するように構成された無線通信回路とを有する、センサー制御装置であって、
前記読取装置が、
ディスプレイと、
前記センサー制御装置から、前記検体レベルの前記測定値を受信するように構成された無線通信回路と、
前記無線通信回路、前記ディスプレイ、及び非一時的メモリに通信可能に結合されたプロセッサ回路と、
を備え、
前記非一時的メモリが、前記プロセッサ回路で実行されると、前記プロセッサ回路に
前記検体レベルの前記測定値が、エピソードが発生していることを示すか否かを判定させ、
エピソードが発生していたと判定した場合、前記エピソードに関連する質問、及び該質問に対する選択可能な回答である１つ以上の応答の候補リストを表示させる、複数の命令を記憶して成る、
ことを特徴とするシステム。
【請求項２】
前記複数の命令が、前記プロセッサ回路で実行されると、前記プロセッサ回路に、前記候補リストに対し、ユーザーから受信した修正を更に行わせ、前記修正が、前記質問に対する選択可能な回答であるカスタマイズされた応答の前記候補リストへの追加、又は前記候補リストからの応答の削除の少なくとも一方であることを特徴とする、請求項１記載の検体監視システム。
【請求項３】
前記修正が、前記候補リストからの応答の削除であることを特徴とする、請求項２記載の検体監視システム。
【請求項４】
前記携帯端末が、スマートフォンであることを特徴とする、請求項１記載の検体監視システム。
【請求項５】
前記エピソードが、就寝時エピソード、起床時エピソード、低検体エピソード、高検体エピソード、検体急上昇エピソード、又は検体急下降エピソードであることを特徴とする、請求項１記載の検体監視システム。
【請求項６】
前記複数の命令が、前記プロセッサ回路で実行されると、前記プロセッサ回路に、更に
エピソードが発生していたと判定した場合、前記患者の前記検体レベルを表示させずに、前記エピソードに関連する質問、及び該質問に対する選択可能な回答である１つ以上の応答の候補リストを表示させることを特徴とする、請求項１記載の検体監視システム。
【請求項７】
前記複数の命令が、前記プロセッサ回路で実行されると、前記プロセッサ回路に、更に、
（ａ）前記センサー制御装置から、複数日の期間に亘って受信した検体レベルの複数の測定値を処理させ、
（ｂ）前記複数日の期間において、前記検体レベルの前記複数の測定値が、１つ以上のエピソードの発生を示しているか否かを判定させ、
（ｃ）前記複数日の期間において、１つ以上のエピソードが発生していたと判定した場合、各検出したエピソードに対し、該エピソードに関連する質問、及び該質問に対する選択可能な回答である１つ以上の応答の候補リストを表示させ、
前記複数の命令が、前記プロセッサ回路に、前記複数日の期間における、いずれの検体レベルも前記患者に表示させずに、（ａ）〜（ｃ）を実行させることを特徴とする、請求項１記載の検体監視システム。
【請求項８】
前記複数の命令が、前記プロセッサ回路に、前記複数日の期間における、各々検出したエピソードのタイプを前記患者に表示させずに、（ａ）〜（ｃ）を実行させることを特徴とする、請求項７記載の検体監視システム。
【請求項９】
前記複数の命令が、前記プロセッサ回路に、
エピソードが発生していないと判定した場合、所定のイベント時刻まで待機した後、前記イベント時刻に関連する質問、及び該質問に対する選択可能な回答である１つ以上の応答の候補リストを表示させることを特徴とする、請求項１記載の検体監視システム。
【請求項１０】
前記修正が、前記質問に対する選択可能な回答であるカスタマイズされた応答の前記候補リストへの追加であることを特徴とする、請求項２記載の検体監視システム。
【請求項１１】
患者の検体変動を減少させる方法であって、
センサー制御装置から、患者の検体レベルの少なくとも１つの測定値を、携帯端末の通信回路で受信するステップと、
前記検体レベルの前記測定値が、エピソードが発生したことを示しているか否かを、前記読取装置の処理回路で判定するステップと、
エピソードが発生していたと判定した場合、前記読取装置の前記処理回路で、前記エピソードに関連する質問、及び該質問に対する選択可能な回答である１つ以上の応答の候補リストを表示させるステップと、
を備えたことを特徴とする方法。
【請求項１２】
前記読取装置の前記処理回路で、前記候補リストに対し、ユーザーから受信した修正を行うステップであって、前記修正が、前記質問に対する選択可能な回答であるカスタマイズされた応答の前記候補リストへの追加、又は前記候補リストからの応答の削除の少なくとも一方である、ステップを更に備えたことを特徴とする、請求項１１記載の方法。
【請求項１３】
前記読取装置が、スマートフォンであることを特徴とする、請求項１１記載の方法。
【請求項１４】
前記エピソードが、就寝時エピソード、起床時エピソード、低検体エピソード、高検体エピソード、検体急上昇エピソード、又は検体急下降エピソードであることを特徴とする、請求項１１記載の方法。
【請求項１５】
エピソードが発生していたと判定した場合、前記処理回路で、前記患者の前記検体レベルを表示せずに、前記エピソードに関連する質問、及び該質問に対する選択可能な回答である１つ以上の応答の候補リストを表示させるステップを更に備えたことを特徴とする、請求項１１記載の方法。
【請求項１６】
（ａ）前記処理回路で、前記センサー制御装置から、複数日の期間に亘って受信した検体レベルの複数の測定値を処理するステップと、
（ｂ）前記処理回路で、前記複数日の期間において、前記検体レベルの前記複数の測定値が、１つ以上のエピソードの発生を示しているか否かを判定するステップと、
（ｃ）前記複数日の期間において、１つ以上のエピソードが発生していたと判定した場合には、前記処理回路で、各検出したエピソードに対し、該エピソードに関連する質問、及び該質問に対する選択可能な回答である１つ以上の応答の候補リストを表示させるステップと、
を更に備え、
前記処理回路が、前記複数日の期間における、いずれの検体レベルも前記患者に表示させず、（ａ）〜（ｃ）を実行することを特徴とする方法。
【請求項１７】
前記処理回路が、前記複数日の期間における、各々検出したエピソードのタイプを前記患者に表示させずに、（ａ）〜（ｃ）を実行することを特徴とする、請求項１６記載の方法。
【請求項１８】
エピソードが発生していないと判定した場合、所定のイベント期間まで待機した後、前記処理回路で、前記イベント期間に関連する質問、及び該質問に対する選択可能な回答である１つ以上の応答の候補リストを表示させるステップを更に備えたことを特徴とする、請求項１１記載の方法。
【請求項１９】
前記修正が、前記候補リストからの応答の削除であることを特徴とする、請求項１１記載の方法。
【請求項２０】
前記修正が、前記質問に対する選択可能な回答であるカスタマイズされた応答の前記候補リストへの追加であることを特徴とする、請求項１１記載の方法。
【請求項２１】
糖尿病管理に関する情報のインタラクティブレポートを有するグラフィカルユーザーインタフェース表示を生成する方法であって、
プロセッサ回路によって、１つ以上の検体エピソードタイプのリストを表示させるステップであって、該１つ以上の検体エピソードタイプのリストの各々の検体エピソードタイプが、１つ以上の応答タイプのリストに関連付けられ、前記関連する検体エピソードタイプの発生について、電気装置によってユーザーになされた質問に応答して、データ収集期間中、前記１つ以上の応答タイプのリストの各々の応答タイプが、前記ユーザーによって選択可能である、ステップと、
前記プロセッサ回路によって、前記１つ以上の応答タイプのリストから、第１の応答タイプの選択を受信するステップと、
前記プロセッサ回路によって、前記第１の応答タイプが、前記ユーザーによって入力された、インスタンスに関連する検体データのグラフを表示させるステップと、
を備えたことを特徴とする方法。
【請求項２２】
前記プロセッサ回路によって、前記期間中に発生した、検体エピソードの１つ以上のインスタンスのリストを表示させるステップを更に備えたことを特徴とする、請求項２１記載の方法。
【請求項２３】
前記１つ以上の検体エピソードタイプのリスト、前記１つ以上の応答タイプのリスト、前記検体データのグラフ、及び前記検体エピソードの１つ以上のインスタンスのリストが、前記プロセッサ回路によって、同時に表示されることを特徴とする、請求項２２記載の方法。
【請求項２４】
前記１つ以上の検体エピソードタイプのリストが、収集された検体データにおいて、各々の検体エピソードタイプが検出された、インスタンスの数に対応する順序で配列されて成ることを特徴とする、請求項２１記載の方法。
【請求項２５】
前記１つ以上の応答タイプのリストが、各々の応答タイプが、前記ユーザーによって入力された、インスタンスの数に対応する順序で配列されて成ることを特徴とする、請求項２１記載の方法。
【請求項２６】
前記１つ以上の応答タイプのリストの各々の応答タイプが、関連する検体エピソードタイプの発生原因を特定することを特徴とする、請求項２１記載の方法。
【請求項２７】
前記グラフが第１のグラフであって、前記インスタンスが第１のインスタンスであり、前記プロセッサ回路によって、前記第１の応答タイプが、前記ユーザーによって入力された、第２のインスタンスに関連する検体データの第２のグラフを表示する指示を、前記ユーザーから受信するステップを更に備えたことを特徴とする、請求項２１記載の方法。
【請求項２８】
糖尿病管理に関する情報のインタラクティブレポートを有するグラフィカルユーザーインタフェース表示を生成するように構成されたシステムであって、
プロセッサ回路と、
前記プロセッサ回路と通信可能に結合された非一時的メモリであって、複数の命令を記憶して成るメモリと、
を備え、
前記複数の命令が、実行されると、前プロセッサ回路に、
１つ以上の検体エピソードタイプのリストであって、該１つ以上の検体エピソードタイプのリストの各々の検体エピソードタイプが、１つ以上の応答タイプのリストに関連付けられ、前記関連する検体エピソードタイプの発生について、電気装置によってユーザーになされた質問に応答して、データ収集期間中、前記１つ以上の応答タイプのリストの各々の応答タイプが、前記ユーザーによって選択可能である、リストを表示させ、
前記１つ以上の応答タイプのリストから、第１の応答タイプの選択を監視し、
前記選択を受信した後、前記第１の応答タイプが、前記ユーザーによって入力された、インスタンスに関連する検体データのグラフを表示させる、
ことを特徴とする装置。
【請求項２９】
前記複数の命令が、実行されると、前記プロセッサ回路に、前記期間中に発生した検体エピソードの１つ以上のインスタンスのリストを更に表示させることを特徴とする、請求項２８記載のシステム。
【請求項３０】
前記１つ以上の検体エピソードタイプのリスト、前記１つ以上の応答タイプのリスト、前記検体データのグラフ、及び前記検体エピソードの１つ以上のインスタンスのリストが、前記プロセッサ回路によって、同時に表示されることを特徴とする、請求項２９記載のシステム。
【請求項３１】
前記１つ以上の検体エピソードタイプのリストが、収集された検体データにおいて、各々の検体エピソードタイプが検出された、インスタンスの数に対応する順序で配列されて成ることを特徴とする、請求項２８記載のシステム。
【請求項３２】
前記１つ以上の応答タイプのリストが、各々の応答タイプが、前記ユーザーによって入力された、インスタンスの数に対応する順序で配列されて成ることを特徴とする、請求項２８記載のシステム。
【請求項３３】
前記１つ以上の応答タイプのリストの各々の応答タイプが、関連する検体エピソードタイプの発生原因を特定することを特徴とする、請求項２８記載のシステム。
【請求項３４】
前記グラフが第１のグラフであって、前記インスタンスが第１のインスタンスであり、前記複数の命令が、実行されると、前記プロセッサ回路に、前記第１の応答タイプが、前記ユーザーによって入力された、第２のインスタンスに関連する検体データの第２のグラフを表示する前記ユーザーからの指示を監視し、該指示を受信した後、前記第２のグラフを表示させることを特徴とする、請求項２８記載のシステム。